(57)【要約】    【課題】  入賞した球の処理のシステムを合理化し、前枠及び遊技盤の裏面から従来の入賞球処理装置をなくして、前枠及び遊技盤の裏面を広く有効に使えるようにしたパチンコ機を提供する。    【解決手段】  パチンコ機10は、入賞検出手段60と、払出装置90と、払出検出手段198と、払出制御装置80とを備える。払出制御装置80は、払出球数カウンタ81と、入賞検出手段60が入賞を検出する毎に払出球数カウンタ81に所定数を加算する払出球数加算手段82と、払出検出手段198が払い出し検出する毎に払出球数カウンタ81から１を減算する払出球数減算手段83と、払出球数カウンタ81の数値が１以上のときには、払出装置90を駆動させて球を払い出し、払出球数カウンタ81の数値が０のときには、払出装置90の駆動を停止させて球の払い出しを停止させる駆動制御手段84とを備える。    【選択図】  図１７
2006014853.tif 000002
【特許請求の範囲】
【請求項１】
入賞口に球が入ると、払出口から所定数の球を払い出すパチンコ機であって、
入賞口に球が入った旨を検出するための入賞検出手段と、
払出口から球を払い出すための払出装置と、
払出装置が球を払い出した旨を検出するための払出検出手段と、
払出装置の動作を制御するための払出制御装置とを備え、
払出制御装置は、
払い出すべき球の数をカウントするための払出球数カウンタと、
入賞口に球が入った旨を入賞検出手段が検出する毎に払出球数カウンタに所定数を加算するための払出球数加算手段と、
払出装置が球を払い出した旨を払出検出手段が検出する毎に払出球数カウンタから１を減算するための払出球数減算手段と、
払出球数カウンタの数値が１以上のときには、払出装置を駆動させて球を払い出し、払出球数カウンタの数値が０のときには、払出装置の駆動を停止させて球の払い出しを停止させる駆動制御手段とを備えることを特徴とするパチンコ機。
【請求項２】
前枠と、
前枠に固定した遊技盤と、
遊技盤の所定位置に設けた入賞口及びアウト口と、
入賞口に球が入った旨を検出するための入賞検出手段と、
入賞口に入った球を下方へ誘導するための入賞球通路と、
アウト口に入った球を下方へ誘導するためのアウト球通路と、
前枠の上端と下端との間の所定位置に設けた払出口と、
払出口から球を払い出すための払出装置と、
払出装置が球を払い出した旨を検出するための払出検出手段と、
払出装置の動作を制御するための払出制御装置とを備え、
払出装置は、
前枠の下部後方に設けられ、かつ、入賞球通路及びアウト球通路の下方に位置し、かつ、入賞球通路及びアウト球通路の下端から排出された球を受け止めて貯留するための球タンクと、
前枠の下部後方に設けられ、かつ、球タンクに連設され、かつ、球タンクに貯留されている球を送り出すための送球機構と、
送球機構から上方へ向けて延びて払出口まで至るように形成され、かつ、送球機構から送り出された球を払出口まで誘導するための上方送球通路とを備え、
払出制御装置は、
払い出すべき球の数をカウントするための払出球数カウンタと、
入賞口に球が入った旨を入賞検出手段が検出する毎に払出球数カウンタに所定数を加算するための払出球数加算手段と、
払出装置が球を払い出した旨を払出検出手段が検出する毎に払出球数カウンタから１を減算するための払出球数減算手段と、
払出球数カウンタの数値が１以上のときには、払出装置の送球機構を駆動させて球を払い出し、払出球数カウンタの数値が０のときには、払出装置の送球機構の駆動を停止させて球の払い出しを停止させる駆動制御手段とを備えることを特徴とするパチンコ機。
【発明の詳細な説明】
【技術分野】
【０００１】
本発明は、パチンコ機に関し、更に詳しくは、入賞した球の処理及び球の払い出しのシステムを合理化したパチンコ機に関するものである。
【背景技術】
【０００２】
従来のパチンコ機における、入賞した球の処理及び球の払い出しについて説明する。
遊技盤の所定位置には、入賞口が設けられ、また、遊技盤の裏面には、入賞口に入った球（入賞した球）を下方へ誘導するための入賞球通路が設けられ、また、入賞球通路の下端には、入賞した球を処理するための入賞球処理装置が設けられている。
また、入賞球処理装置は、入賞した球を一列に整列させて保留するための保留通路を備えるとともに、保留通路の先端の位置に球があるか否かを検知するための入賞球検知センサーと、保留通路の先端の位置にある球を１個ずつ排出するための排出機構とを備えている。そして、入賞口に球が入り、この球が保留通路の先端の位置まで移動して入賞球検知センサーにより検知されると、いわゆる裏セットにより所定数の球が払い出され、また、裏セットによる所定数の球の払い出しが終わると、保留通路の先端の位置にある球が排出機構により排出される。
【０００３】
また、保留通路に複数の球が保留されている場合には、排出機構により保留通路の先端の位置にある球が排出されると、その次の球が保留通路の先端の位置に移動するとともに、この移動に伴って後続の球が保留通路の先端方向へ向けて順次移動する。そして、保留通路の先端の位置に移動した球が入賞球検知センサーにより検知されると、裏セットにより所定数の球が払い出され、また、裏セットによる所定数の球の払い出しが終わると、排出機構により保留通路の先端の位置にある球のみが１個だけ排出される。保留通路に保留されている球がなくなるまで、このような動作が繰り返される。
【特許文献１】特開２００４−８９７３７号公報
【特許文献２】特開２００１−９６０１９号公報
【特許文献３】特開２０００−８４２０２号公報
【特許文献４】特開２０００−７９２３１号公報
【発明の開示】
【発明が解決しようとする課題】
【０００４】
上述したように、従来のパチンコ機では、入賞した球の処理に、入賞球処理装置を用いるとともに、球の払い出しに、裏セットを用いていた。このため、前枠及び遊技盤の裏面の大部分が、入賞球処理装置及び裏セットで占められてしまい、これにより、前枠及び遊技盤の裏面を広く使うことができず、前枠や遊技盤に大型の液晶ディスプレイ等を搭載しようとするときに、大きな障害となっていた。
（請求項１）
そこで、請求項１記載の発明は、入賞検出手段と、払出検出手段と、払出球数カウンタと、入賞検出手段が入賞を検出する毎に払出球数カウンタに所定数を加算する払出球数加算手段と、払出検出手段が払い出しを検出する毎に払出球数カウンタから１を減算する払出球数減算手段と、払出球数カウンタの数値が１以上のときには、払出装置を駆動させて球を払い出し、払出球数カウンタの数値が０のときには、払出装置の駆動を停止させて球の払い出しを停止させる駆動制御手段とを備えることにより、入賞した球の処理のシステムを合理化し、前枠及び遊技盤の裏面から従来の入賞球処理装置をなくして、前枠及び遊技盤の裏面を広く有効に使えるようにし、ひいては大型の液晶ディスプレイ等を搭載しやすくしたパチンコ機を提供することを目的とする。
【０００５】
（請求項２）
また、請求項２記載の発明は、入賞球通路及びアウト球通路の下端から排出された球を受け止めて貯留するための球タンクと、球タンクに貯留されている球を送り出すための送球機構と、送球機構から送り出された球を払出口まで誘導するための上方送球通路とを備えるとともに、入賞検出手段と、払出検出手段と、払出球数カウンタと、入賞検出手段が入賞を検出する毎に払出球数カウンタに所定数を加算する払出球数加算手段と、払出検出手段が払い出しを検出する毎に払出球数カウンタから１を減算する払出球数減算手段と、払出球数カウンタの数値が１以上のときには、払出装置を駆動させて球を払い出し、払出球数カウンタの数値が０のときには、払出装置の駆動を停止させて球の払い出しを停止させる駆動制御手段とを備えることにより、入賞した球の処理及び球の払い出しのシステムを合理化し、前枠及び遊技盤の裏面から従来の入賞球処理装置及び裏セットをなくして、前枠及び遊技盤の裏面を広く有効に使えるようにし、ひいては大型の液晶ディスプレイ等を搭載しやすくしたパチンコ機を提供することを目的とする。
【課題を解決するための手段】
【０００６】
（請求項１）
請求項１記載の発明は、入賞口44に球が入ると、払出口32から所定数の球を払い出すパチンコ機10であって、入賞口44に球が入った旨を検出するための入賞検出手段60と、払出口32から球を払い出すための払出装置90と、払出装置90が球を払い出した旨を検出するための払出検出手段198と、払出装置90の動作を制御するための払出制御装置80とを備え、払出制御装置80は、払い出すべき球の数をカウントするための払出球数カウンタ81と、入賞口44に球が入った旨を入賞検出手段60が検出する毎に払出球数カウンタ81に所定数を加算するための払出球数加算手段82と、払出装置90が球を払い出した旨を払出検出手段198が検出する毎に払出球数カウンタ81から１を減算するための払出球数減算手段83と、払出球数カウンタ81の数値が１以上のときには、払出装置90を駆動させて球を払い出し、払出球数カウンタ81の数値が０のときには、払出装置90の駆動を停止させて球の払い出しを停止させる駆動制御手段84とを備えることを特徴とする。
【０００７】
ここで、パチンコ機10は、前枠30と、前枠30に固定した遊技盤40とを備え、また、遊技盤40の前面には、遊技領域42が設けられ、また、遊技領域42の所定位置には、入賞口44が設けられる。また、前枠30の所定位置には、払出口32が設けられる。そして、遊技領域42へ向けて発射した球が入賞口44に入ると、払出口32から所定数の球が払い出される。
また、「入賞検出手段60」は、入賞口44に球が入った旨を検出するためのものである。
また、入賞検出手段60は、例えば、フォトセンサーや誘導型近接センサー等を用いて構成することができる。
また、入賞検出手段60は、払出球数カウンタ81の数値や、払出装置90の駆動状況にかかわらず、常時、入賞口44に球が入った旨を検出可能とされている。
【０００８】
また、入賞検出手段60により入賞口44に球が入った旨が検出されると、入賞検出手段60から払出制御装置80へ入賞検出信号が送信される。
また、入賞検出手段60は、入賞口44内に設けてもよく、また、入賞口44に入った球を下方へ誘導するための入賞球通路51の途中に設けてもよい。そして、入賞口44に入った球が入賞検出手段60を通過すると、入賞検出手段60が反応して、入賞検出手段60から払出制御装置80へ入賞検出信号が送信されるようにすることができる。このようにして、入賞口44に球が入った旨を検出するための入賞検出手段60を構成することができる。
また、例えば、複数の入賞口44を設ける場合において、各入賞口44毎に球の払い出し個数を異ならせるときには、各入賞口44にそれぞれ対応して入賞検出手段60を設けることができるし、また、いずれの入賞口44についても球の払い出し個数を同じにするときには、各入賞口44に入った球を一ヵ所に集合させる集合カバーを遊技盤40の裏面に設けて、この集合カバー内における球が集合する位置に１個だけ入賞検出手段60を設けることができる。
【０００９】
また、「払出装置90」は、払出口32から球を払い出すためのものである。
また、払出装置90は、例えば、従来の裏セットを用いて構成してもよく、また、従来の裏セットとは異なる新規の機構を用いて構成してもよい。
また、「払出検出手段198」は、払出装置90が球を払い出した旨を検出するためのものである。
また、払出検出手段198は、入賞検出手段60と同様に、例えば、フォトセンサーや誘導型近接センサー等を用いて構成することができる。
また、払出検出手段198は、払出球数カウンタ81の数値や、払出装置90の駆動状況にかかわらず、常時、払出装置90が球を払い出した旨を検出可能とされている。
【００１０】
また、払出検出手段198により払出装置90が球を払い出した旨が検出されると、払出検出手段198から払出制御装置80へ払出検出信号が送信される。
また、払出検出手段198は、例えば、払出装置90の球の出口に設けることができる。そして、払出装置90が駆動し、球が払出検出手段198を通過すると、払出検出手段198から払出制御装置80へ払出検出信号が送信されるようにすることができる。このようにして、払出装置90が球を払い出した旨を検出するための払出検出手段198を構成することができる。
また、「払出制御装置80」は、払出装置90の動作を制御するためのものである。
【００１１】
また、払出制御装置80は、例えば、ＣＰＵ、ＲＡＭ、ＲＯＭ、及びＩ／Ｏなどを備えたマイクロコンピュータを用いて構成することができる。
また、払出制御装置80は、払出球数カウンタ81、払出球数加算手段82、払出球数減算手段83、及び駆動制御手段84を備える。また、払出制御装置80は、例えば、ＣＰＵがＲＯＭに記憶された所定のプログラムを実行することにより、払出球数カウンタ81、払出球数加算手段82、払出球数減算手段83、及び駆動制御手段84として機能するようにすることができる。
また、「払出球数カウンタ81」は、払い出すべき球の数をカウントするためのものである。
【００１２】
また、「払出球数加算手段82」は、入賞口44に球が入った旨を入賞検出手段60が検出する毎に払出球数カウンタ81に所定数を加算するためのものである。
入賞検出手段60により入賞口44に球が入った旨が検出されると、入賞検出手段60から払出制御装置80へ入賞検出信号が送信される。そして、払出球数加算手段82は、入賞検出信号を受信すると、入賞口44に球が入った旨を入賞検出手段60が検出したとして、払出球数カウンタ81に所定数を加算する。
また、払出球数加算手段82は、払出球数カウンタ81の数値や、払出装置90の駆動状況にかかわらず、常時、入賞検出信号を受け付け、そして、入賞検出信号を受信すると、入賞口44に球が入った旨を入賞検出手段60が検出したとして、払出球数カウンタ81に所定数を加算する。
【００１３】
また、例えば、払出球数カウンタ81の数値が「０」のときに、入賞検出手段60により入賞口44に球が入った旨が検出されて、入賞検出手段60から払出制御装置80へ入賞検出信号が送信されると、払出球数加算手段82は、払出球数カウンタ81に、所定数（例えば「１５」）を加算する。そうすると、その後には、払出球数カウンタ81の数値は「１５」になる。
また、例えば、払出球数カウンタ81の数値が「８」のときに、入賞検出手段60により入賞口44に球が入った旨が検出されて、入賞検出手段60から払出制御装置80へ入賞検出信号が送信されると、払出球数加算手段82は、払出球数カウンタ81に、所定数（例えば「１５」）を加算する。そうすると、その後には、払出球数カウンタ81の数値は「２３」になる。
【００１４】
また、「所定数」は、１回の入賞に対応した球の払い出し個数である。例えば、入賞口44に球が１個入ると払出口から１５個の球が払い出されるように定められているパチンコ機10においては、所定数は「１５」となる。
また、例えば、複数の入賞口44を設けるとともに、各入賞口44毎に球の払い出し個数を異ならせ、各入賞口44にそれぞれ対応して入賞検出手段60を設ける場合には、払出球数加算手段82は、各入賞検出手段60毎に異なる所定数を払出球数カウンタ81に加算するように形成することができる。
具体的には、例えば、第１の入賞口44と、第２の入賞口44と、第３の入賞口44とを設け、また、第１の入賞口44については、球の払い出し個数を５個と定め、第２の入賞口44については、球の払い出し個数を１０個と定め、第３の入賞口44については、球の払い出し個数を１５個と定め、また、第１の入賞口44に対応して第１の入賞検出手段60を設け、第２の入賞口44に対応して第２の入賞検出手段60を設け、第３の入賞口44に対応して第３の入賞検出手段60を設けることができる。そして、第１の入賞口44に球が入り、その旨が第１の入賞検出手段60により検出されると、第１の入賞検出手段60から払出制御装置80へ第１の入賞検出信号が送信され、また、第２の入賞口44に球が入り、その旨が第２の入賞検出手段60により検出されると、第２の入賞検出手段60から払出制御装置80へ第２の入賞検出信号が送信され、また、第３の入賞口44に球が入り、その旨が第３の入賞検出手段60により検出されると、第３の入賞検出手段60から払出制御装置80へ第３の入賞検出信号が送信されるようにすることができる。このような場合、払出球数加算手段82は、第１の入賞検出信号を受信すると、第１の入賞検出手段60が第１の入賞口44に球が入った旨を検出したとして、払出球数カウンタ81に「５」を加算し、また、第２の入賞検出信号を受信すると、第２の入賞検出手段60が第２の入賞口44に球が入った旨を検出したとして、払出球数カウンタ81に「１０」を加算し、また、第３の入賞検出信号を受信すると、第３の入賞検出手段60が第３の入賞口44に球が入った旨を検出したとして、払出球数カウンタ81に「１５」を加算するように形成することができる。
【００１５】
また、「払出球数減算手段83」は、払出装置90が球を払い出した旨を払出検出手段198が検出する毎に払出球数カウンタ81から１を減算するためのものである。
払出検出手段198により払出装置90が球を払い出した旨が検出されると、払出検出手段198から払出制御装置80へ払出検出信号が送信される。そして、払出球数減算手段83は、払出検出信号を受信すると、払出装置90が球を払い出した旨を払出検出手段198が検出したとして、払出球数カウンタ81から１を減算する。
また、払出球数減算手段83は、払出球数カウンタ81の数値や、払出装置90の駆動状況にかかわらず、常時、払出検出信号を受け付け、そして、払出検出信号を受信すると、払出装置90が球を払い出した旨を払出検出手段198が検出したとして、払出球数カウンタ81から１を減算する。
【００１６】
また、「駆動制御手段84」は、払出球数カウンタ81の数値が１以上のときには、払出装置90を駆動させて球を払い出し、払出球数カウンタ81の数値が０のときには、払出装置90の駆動を停止させて球の払い出しを停止させるものである。
つまり、払出装置90は、球を１個ずつ払い出すことが可能に形成され、また、駆動制御手段84は、払出装置90による１個ずつの球の払い出しを制御可能に形成される。そして、駆動制御手段84は、払出球数カウンタ81の数値が１以上のときには、払出装置90を駆動させて球を払い出し、払出球数カウンタ81の数値が０になるまで、払出装置90を駆動させ続け、払出球数カウンタ81の数値が０になると、払出装置90の駆動を停止させて、球の払い出しを停止させる。
【００１７】
このように、本発明によれば、入賞検出手段60と、払出装置90と、払出検出手段198と、払出制御装置80とを備えるとともに、払出制御装置80には、払出球数カウンタ81と、入賞検出手段60が入賞を検出する毎に払出球数カウンタ81に所定数を加算する払出球数加算手段82と、払出検出手段198が払い出しを検出する毎に払出球数カウンタ81から１を減算する払出球数減算手段83と、払出球数カウンタ81の数値が１以上のときには、払出装置90を駆動させて球を払い出し、払出球数カウンタ81の数値が０のときには、払出装置90の駆動を停止させて球の払い出しを停止させる駆動制御手段84とを備えたことから、入賞した球の処理のシステムを合理化でき、前枠30及び遊技盤40の裏面から従来の入賞球処理装置をなくすことができる。このため、前枠30及び遊技盤40の裏面を広く有効に使うことができ、これにより、大型の液晶ディスプレイ等を搭載しやすくすることができるのである。
【００１８】
（請求項２）
請求項２記載の発明は、前枠30と、前枠30に固定した遊技盤40と、遊技盤40の所定位置に設けた入賞口44及びアウト口48と、入賞口44に球が入った旨を検出するための入賞検出手段60と、入賞口44に入った球を下方へ誘導するための入賞球通路51と、アウト口48に入った球を下方へ誘導するためのアウト球通路52と、前枠30の上端と下端との間の所定位置に設けた払出口32と、払出口32から球を払い出すための払出装置90と、払出装置90が球を払い出した旨を検出するための払出検出手段198と、払出装置90の動作を制御するための払出制御装置80とを備え、払出装置90は、前枠30の下部後方に設けられ、かつ、入賞球通路51及びアウト球通路52の下方に位置し、かつ、入賞球通路51及びアウト球通路52の下端から排出された球を受け止めて貯留するための球タンク160と、前枠30の下部後方に設けられ、かつ、球タンク160に連設され、かつ、球タンク160に貯留されている球を送り出すための送球機構100と、送球機構100から上方へ向けて延びて払出口32まで至るように形成され、かつ、送球機構100から送り出された球を払出口32まで誘導するための上方送球通路180とを備え、払出制御装置80は、払い出すべき球の数をカウントするための払出球数カウンタ81と、入賞口44に球が入った旨を入賞検出手段60が検出する毎に払出球数カウンタ81に所定数を加算するための払出球数加算手段82と、払出装置90が球を払い出した旨を払出検出手段198が検出する毎に払出球数カウンタ81から１を減算するための払出球数減算手段83と、払出球数カウンタ81の数値が１以上のときには、払出装置90の送球機構100を駆動させて球を払い出し、払出球数カウンタ81の数値が０のときには、払出装置90の送球機構100の駆動を停止させて球の払い出しを停止させる駆動制御手段84とを備えることを特徴とする。
【００１９】
ここで、「入賞球通路51」は、入賞口44に入った球を下方へ誘導するためのものである。
つまり、入賞口44に入った球は、入賞球通路51によって、下方へ誘導される。
また、入賞球通路51は、例えば、遊技盤40の裏面等に設けられる。
また、「アウト球通路52」は、アウト口48に入った球を下方へ誘導するためのものである。
つまり、アウト口48に入った球は、アウト球通路52によって、下方へ誘導される。
また、アウト球通路52は、入賞球通路51と同様に、例えば、遊技盤40の裏面等に設けられる。
【００２０】
また、「払出口32」は、前枠30の上端と下端との間の所定位置に設けられる。
また、「払出装置90」は、球タンク160と、送球機構100と、上方送球通路180とを備える。
また、「球タンク160」は、前枠30の下部後方に設けられ、かつ、入賞球通路51及びアウト球通路52の下方に位置し、かつ、入賞球通路51及びアウト球通路52の下端から排出された球を受け止めて貯留するためのものである。
また、「送球機構100」は、前枠30の下部後方に設けられ、かつ、球タンク160に連設され、かつ、球タンク160に貯留されている球を送り出すためのものである。
【００２１】
また、「上方送球通路180」は、送球機構100から上方へ向けて延びて払出口32まで至るように形成され、かつ、送球機構100から送り出された球を払出口32まで誘導するためのものである。
すなわち、払出口34は、前枠30の上端と下端との間の所定位置に設けられ、また、上方送球通路180は、送球機構100から払出口34が設けられている位置まで上方へ向けて延びるように形成される。そして、入賞口44に球が入ると、払出装置90の送球機構100が駆動して球が送り出される。また、送球機構100から送り出された球は、上方送球通路180によって上方へ誘導されて、払出口34から払い出される。
【００２２】
また、他の構成については、請求項１記載の発明と同様である。
このように、本発明によれば、前枠30の下部後方に設けた球タンク160及び送球機構100によって球の払い出しを行うことから、球の払い出しを合理化でき、前枠30及び遊技盤40の裏面から従来の裏セットをなくすことができるとともに、請求項１記載の発明と同様に、入賞検出手段60と、払出装置90と、払出検出手段198と、払出制御装置80とを備え、払出制御装置80には、払出球数カウンタ81と、払出球数加算手段82と、払出球数減算手段83と、駆動制御手段84とを備えたことから、入賞した球の処理のシステムを合理化でき、前枠30及び遊技盤40の裏面から従来の入賞球処理装置をなくすことができる。このため、前枠30及び遊技盤40の裏面を広く有効に使うことができ、これにより、大型の液晶ディスプレイ等を搭載しやすくすることができるのである。
【発明の効果】
【００２３】
（請求項１）
請求項１記載の発明によれば、入賞した球の処理のシステムを合理化でき、前枠及び遊技盤の裏面から従来の入賞球処理装置をなくすことができる。このため、前枠及び遊技盤の裏面を広く有効に使うことができ、これにより、大型の液晶ディスプレイ等を搭載しやすいパチンコ機を提供できる。
（請求項２）
請求項２記載の発明によれば、入賞した球の処理及び球の払い出しのシステムを合理化でき、前枠及び遊技盤の裏面から従来の入賞球処理装置及び裏セットをなくすことができる。このため、前枠及び遊技盤の裏面を広く有効に使うことができ、これにより、大型の液晶ディスプレイ等を搭載しやすいパチンコ機を提供できる。
【発明を実施するための最良の形態】
【００２４】
図１ないし図１７は、本発明の実施の形態を示すものである。
図１は、パチンコ機10の斜視図、図２は、パチンコ機10の前枠30を開いた状態を示す斜視図、図３は、送球装置90の斜視図、図４は、送球装置90の側断面図、図５は、送球装置90の分解斜視図、図６は、球タンク160の分解斜視図、図７ないし図９は、球タンク160の平面図、図１０は、ベース110の上面図、図１１は、回転ディスク120の上面図、図１２は、回転ディスク120の下面図、図１３は、回転ディスク120の斜視図、図１４は、ベース110、回転ディスク120及びバケット170の側断面図、図１５（Ａ）は、回転ディスク120の要部上面図、図１５（Ｂ）は、図１５（Ａ）のＡ−Ａ’線断面図、図１６は、払出検出機構190の側断面図、図１７は、払出制御装置80のブロック図である。
【００２５】
（パチンコ機10）
図１及び図２に示すように、パチンコ機10は、遊技場の遊技機設置島に固定される裏枠20と、裏枠20にヒンジ25を介して開閉可能に取り付けられる前枠30と、前枠30の着脱可能に取り付けられる遊技盤40とを備えている。
（裏枠20）
裏枠20は、遊技機設置島に固定されるものである。
図１及び図２に示すように、裏枠20は、四角枠型の木枠から構成されている。
また、裏枠20は、例えば、釘で打ちつけるなどして、遊技機設置島に固定される。
【００２６】
また、図２に示すように、裏枠20の上部内面には、遊技機設置島の球補給機構から補給された球を受けるための補給球トレイ230が設けられている。
（前枠30）
前枠30は、裏枠20にヒンジ25を介して開閉可能に取り付けられるものである。
図１に示すように、前枠30の中央には、遊技盤40が臨む窓31が設けられている。
また、図１に示すように、前枠30の前面における遊技盤40の下方に相当する位置には、入賞時等に球が払い出される払出口32と、払出口32から払い出された球を受け止めて貯留するための上皿33とが設けられている。また、上皿33は、前枠30の前面における払出口32の下方に相当する位置から前方へ向けて突出するように形成されている。また、払出口32及び上皿33は、前枠30の上端と下端との間の所定位置に設けられている。
【００２７】
また、払出口32は、前枠30を貫通しており、後述する上方送球通路180の上端から排出された球を前枠30の前側へ誘導するように形成されている。
また、上皿33の底面は、右奥方向へ向かうに従って高さが次第に低くなるように滑らかに傾斜しており、また、上皿33の右奥には、球をパチンコ機10に投入するための投入口35が設けられている。そして、上皿33に貯留されている球は、投入口35からパチンコ機10に投入されて、発射装置37に供給されるようになっている。
また、前枠30の前面における上皿33の下方に相当する位置には、上皿33に貯留しきれない球を貯留するための下皿34が設けられ、また、下皿34の右方には、発射装置37を作動させるための操作ハンドル36が設けられている。
【００２８】
（遊技盤40・入賞口44・アウト口48）
図１に示すように、遊技盤40は、ほぼ四角形状に形成されているベニヤから構成されている。また、遊技盤40の前面には、円弧形状のガイドレール41が設けられ、このガイドレール41の内側が、遊技領域42とされている。
また、遊技領域42の中央には、図柄表示装置43が設けられているとともに、遊技領域42における図柄表示装置43の周囲には、複数の入賞口44が設けられている。
また、図柄表示装置43は、液晶ディスプレイを用いて構成されている。
また、入賞口44としては、所定個数の球の払い出しに係る一般入賞口45や、図柄表示装置43の作動に係る始動入賞口46や、図柄表示装置43に特定の図柄の組み合わせが表示されると作動する大入賞口47などがある。
【００２９】
また、遊技領域42の中央最下部には、入賞口44に入らなかった球を受け入れるためのアウト口48が設けられている。
また、入賞口44やアウト口48が設けられている位置には、遊技盤40を貫通する貫通孔が設けられている。そして、入賞口44やアウト口48に入った球は、貫通孔を通って、遊技盤40の裏側へ導かれるようになっている。
（入賞球通路51・アウト球通路52・入賞検出手段60）
遊技盤40の裏面には、入賞口44に入って遊技盤40の裏側へ導かれた球を下方へ誘導するための入賞球通路51と、アウト口48に入って遊技盤40の裏側へ導かれた球を下方へ誘導するためのアウト球通路52とが設けられている。
【００３０】
また、入賞球通路51は、一般入賞口45、始動入賞口46、大入賞口47の各入賞口44に入った球を一ヵ所に集合させるように形成されている。
また、入賞球通路51の途中であって、一般入賞口45、始動入賞口46、大入賞口47の各入賞口44に入った球が集合する位置には、入賞口44に球が入った旨を検出するための入賞検出手段60が設けられている。
また、入賞検出手段60は、誘導型近接センサーを用いて構成されている。
また、入賞検出手段60は、払出球数カウンタ81の数値や、払出装置90の駆動状況にかかわらず、常時、入賞口44に球が入った旨を検出可能とされている。
【００３１】
そして、入賞口44に入った球が入賞球通路51を通る途中で入賞検出手段60を通過すると、入賞検出手段60が反応して、入賞検出手段60から払出制御装置80へ入賞検出信号が送信される。
このようにして、入賞口44に球が入った旨が入賞検出手段60によって検出される。また、入賞検出手段60により入賞口44に球が入った旨が検出されると、入賞検出手段60から払出制御装置80へ入賞検出信号が送信される。
また、入賞球通路51とアウト球通路52とは、途中で合流して、前枠30の裏面下部にまで達している。また、入賞球通路51及びアウト球通路52は、遊技盤40の裏側においては、遊技盤40の裏面に固定された集合カバーによって形成され、また、前枠30の裏側においては、前枠30の裏面下部に固定された通路形成部材によって形成されている。
【００３２】
つまり、集合カバーは、遊技盤40の裏側に入賞球通路51とアウト球通路52とを形成する部材であり、また、通路形成部材は、前枠30の裏側に入賞球通路51とアウト球通路52とを形成する部材である。また、集合カバーは、遊技盤40の裏面にビスで固定され、また、通路形成部材は、前枠30の裏面にビスで固定されている。
また、入賞球通路51及びアウト球通路52の下側の開口部は、排出口53となっている。
（発射装置37）
図２に示すように、前枠30の裏面下部であって操作ハンドル36の裏側に相当する位置には、球を発射するための発射装置37が設けられている。そして、操作ハンドル36を時計回りに所定角度回すと、発射装置37が作動して、球が遊技領域42へ向けて打ち出されるようになっている。
【００３３】
（制御基板70）
図２に示すように、遊技盤40の裏面には、遊技を制御するための制御基板70が固定されている。また、制御基板70としては、遊技を制御するためのメイン基板71や、メイン基板71での遊技にあわせた効果音を発生させるためのサウンド基板72や、メイン基板71での遊技にあわせた図柄を図柄表示装置43に表示させるための表示制御基板73などがある。
始動入賞口46に球が入ると、メイン基板71は、乱数を用いた抽選を行う。そして、メイン基板71は、この抽選により、図柄表示装置43にいずれの図柄の組み合わせを表示させるかを決定して、その図柄の組み合わせを図柄表示装置43に表示させるように、表示制御基板73に命令したり、また、いずれの効果音を発生させるかを決定して、その効果音を発生させるように、サウンド基板72に命令したり、また、装飾用又は演出用の発光体の点灯、消灯あるいは点滅を制御する。また、図柄表示装置43に所定の図柄の組み合わせが表示されると、メイン基板71は、大入賞口47を所定時間作動させる。
【００３４】
そして、メイン基板71、サウンド基板72、及び表示制御基板73は、集合カバーの裏面にビスで固定されている。
（払出装置90）
払出装置90は、払出口32から球を払い出すためのものである。
図２ないし図１６に示すように、払出装置90は、球タンク160と、送球機構100と、上方送球通路180と、払出検出機構190とを備えている。
（球タンク160）
図２に示すように、球タンク160は、前枠30の下部後方に設けられ、かつ、入賞球通路51及びアウト球通路52の下方に位置し、かつ、入賞球通路51及びアウト球通路52の下端から排出された球を受け止めて貯留するためのものである。
【００３５】
図３ないし図６に示すように、球タンク160は、上側が開口する箱型に形成されている。また、球タンク160の底面中央には、球タンク160の底面を貫通する球落とし孔161が設けられている。
また、図３ないし図６に示すように、球タンク160は、球タンク160内の球の量が一定以上になると球タンク160外に球を排出するためのオーバーフロー口162と、オーバーフロー口162から排出された球を受け止めるためのオーバーフロー球受部163と、オーバーフロー口162から排出されてオーバーフロー球受部163で受け止められた球を誘導するためのオーバーフロー球通路164とを有している。
【００３６】
また、図４ないし図６に示すように、オーバーフロー口162は、球タンク160の側面の上端付近に開口している。そして、球タンク160内の球の量が一定以上になると、球タンク160の上側の縁から球が溢れ出る前に、オーバーフロー口162から球タンク160外に球が排出されるようになっている。
また、図５ないし図９に示すように、オーバーフロー球受部163は、オーバーフロー口162が設けられている位置から球タンク160の外方へ向けて突出しており、上方及びオーバーフロー口162方向が開口する箱型に形成されている。
また、図４ないし図６に示すように、オーバーフロー球通路164は、オーバーフロー球受部163の下面から下方へ向けて突出しており、パイプ状に形成されている。
【００３７】
また、図２ないし図６に示すように、球タンク160は、その上側の開口部を塞ぐためのタンクカバー200を備えている。
また、図３ないし図６に示すように、タンクカバー200は、その上面から上方へ向けて突出する上方凸部201と、上方凸部201の一方側の端部に開口する受入口202と、上方凸部201の他方側の端部からタンクカバー200の外方へ向けて突出するオーバーフロー塞ぎ部203と、上方凸部201の長手方向と直交する方向に延びる２つの平行な長ビス孔204と、タンクカバー200の上面から斜め上方へ向けて突出する円筒状の補給口205とを有している。
また、図３ないし図６に示すように、上方凸部201は、一方側がタンクカバー200の上面から上方へ向けて大きく突出し、一方側から他方側へ向けてタンクカバー200の上面からの高さが次第に低くなるように滑らかに傾斜し、他方側がタンクカバー200の上面とほぼ同じ高さとなっている。
【００３８】
また、受入口202は、下方誘導通路50の排出口53から排出された球を受け入れるためのものであって、図３ないし図６に示すように、上方凸部201の一方側の端部に開口している。また、図３ないし図９に示すように、受入口202は、球タンク160の中心から見て、オーバーフロー口162とは反対側に設けられている。つまり、球タンク160の一方側に受入口202が設けられ、他方側にオーバーフロー口162が設けられている。また、図３ないし図６に示すように、受入口202は、オーバーフロー口162よりも高い位置に設けられている。また、受入口202の幅は、排出口53の幅とほぼ等しく、また、受入口202の高さは、排出口53の高さとほぼ等しい。すなわち、受入口202の開口の大きさは、排出口53の開口の大きさとほぼ等しい。そして、前面部30としての前枠30を閉じると、受入口202と排出口53とが向かい合うようになっている。また、受入口202の幅は、オーバーフロー口162の幅とほぼ等しい。
【００３９】
また、オーバーフロー塞ぎ部203は、オーバーフロー球受部163の上側の開口部を塞ぐためのものであって、図３ないし図６に示すように、上方凸部201の受入口202とは反対側の端部からタンクカバー200の外方へ向けて突出している。
また、長ビス孔204は、オーバーフロー調整器210を摺動可能に取り付けるためのものであって、図３ないし図９に示すように、上方凸部201の長手方向と直交する方向に、つまり、排出口53や受入口202の幅方向に延びるように形成されている。また、各長ビス孔204の長さは、排出口53や受入口202の幅とほぼ等しく、また、各長ビス孔204の幅は、取付ビス220の直径よりもわずかに大きい。
【００４０】
また、補給口205は、球タンク160に球を補給するためのものであって、図２ないし図６に示すように、円筒状に形成されており、タンクカバー200の上面の角部付近から斜め上方へ向けて突出している。また、図２、図４及び図６に示すように、補給口205には、パイプ状の補給球通路231の一端が接続されている。なお、補給球通路231の他端は、補給球トレイ230に接続されている。つまり、補給口205は、補給球通路231を介して、補給球トレイ230に接続されている。そして、遊技機設置島の球補給機構から補給球トレイ230に補給された球は、補給球通路231及び補給口205を介して、球タンク160に貯留されるようになっている。
【００４１】
また、図３ないし図９に示すように、タンクカバー200の下面には、排出口53とオーバーフロー口162との間に位置するようにして、オーバーフロー調整器210が取り付けられている。
また、図３ないし図９に示すように、オーバーフロー調整器210は、樋状に形成されており、排出口53側からオーバーフロー口162側へ向けて高さが次第に低くなるように滑らかに傾斜する平板状の傾斜通路部211と、傾斜通路部211の左側の端部から上方へ向けて突出する平板状の左ガイド部212と、傾斜通路部211の右側の端部から上方へ向けて突出する平板状の右ガイド部213と、右ガイド部213の上端から傾斜通路部211とは反対側へ向けて水平に突出する平板状の取付部214とを有している。
【００４２】
また、図４ないし図９に示すように、傾斜通路部211は、排出口53側の端部からオーバーフロー口162側の端部まで等幅に形成されており、また、傾斜通路部211の幅は、排出口53、受入口202、及びオーバーフロー口162の幅とほぼ等しく、また、傾斜通路部211の長さは、排出口53及び受入口202からオーバーフロー口162までの距離とほぼ等しい。
また、図５ないし図９に示すように、取付部214には、円形の２つの円形ビス孔215が設けられている。また、２つの円形ビス孔215の間隔は、２つの長ビス孔204の間隔とほぼ等しく、また、各円形ビス孔215の直径は、取付ビス220の直径よりもわずかに大きい。
そして、図３ないし図６に示すように、オーバーフロー調整器210をタンクカバー200の上方凸部201の下方に位置させ、各円形ビス孔215の位置と各長ビス孔204の位置とを合わせ、これらにそれぞれ取付ビス220を通してその先端側に取付ナット221を螺合させると、タンクカバー200の下面に、オーバーフロー調整器210が取り付けられる。そして、球タンク160の上側の開口部をタンクカバー200で塞ぐと、排出口53とオーバーフロー口162との間に、オーバーフロー調整器210が位置することとなる。
【００４３】
また、長ビス孔204は、排出口53の幅方向に延びるように形成され、また、オーバーフロー調整器210は、長ビス孔204の長手方向に摺動可能とされている。このため、オーバーフロー調整器210は、排出口53の幅方向に摺動可能とされている。具体的には、各取付ナット221を緩めて、各取付ビス220を長ビス孔204の長手方向に摺動させると、オーバーフロー調整器210を排出口53の幅方向に摺動させることができる。
また、図７ないし図９に示すように、オーバーフロー調整器210を排出口53の幅方向に摺動させると、排出口53とオーバーフロー調整器210との連通部の幅W、及び排出口53と球タンク160との連通部の幅が変化する。具体的には、オーバーフロー調整器210を排出口53の幅方向に摺動させることで、排出口53とオーバーフロー調整器210との連通部の幅Wを広くすると、その分、排出口53と球タンク160との連通部の幅が狭くなり、逆に、排出口53とオーバーフロー調整器210との連通部の幅Wを狭くすると、その分、排出口53と球タンク160との連通部の幅が広くなる。
【００４４】
また、図７に示すように、オーバーフロー調整器210を一方側に寄せると、排出口53とオーバーフロー調整器210との連通部の幅Wが、排出口53の幅と等しくなって、最大になるとともに、排出口53と球タンク160との連通部の幅が０になる。このとき、球タンク160内に貯留させる球の量と、球タンク160内に貯留させることなくオーバーフロー口162へ誘導する球の量との比率は、１００：０になる。
また、図８に示すように、オーバーフロー調整器210を摺動範囲の中間に位置させると、排出口53とオーバーフロー調整器210との連通部の幅Wが、排出口53の幅の半分になるとともに、排出口53と球タンク160との連通部の幅が、排出口53の幅の半分になる。つまり、排出口53とオーバーフロー調整器210との連通部の幅Wと、排出口53と球タンク160との連通部の幅とが等しくなる。このとき、球タンク160内に貯留させる球の量と、球タンク160内に貯留させることなくオーバーフロー口162へ誘導する球の量との比率は、５０：５０になる。
【００４５】
また、図９に示すように、オーバーフロー調整器210を他方側に寄せると、排出口53とオーバーフロー調整器210との連通部の幅Wが０になるとともに、排出口53と球タンク160との連通部の幅が、排出口53の幅と等しくなって、最大になる。このとき、球タンク160内に貯留させる球の量と、球タンク160内に貯留させることなくオーバーフロー口162へ誘導する球の量との比率は、０：１００になる。
このように、オーバーフロー調整器210を排出口53の幅方向に摺動移動させると、排出口53とオーバーフロー調整器210との連通部の幅W、及び排出口53と球タンク160との連通部の幅が変化し、これにより、球タンク160内に貯留させる球の量と、球タンク160内に貯留させることなくオーバーフロー口162へ誘導する球の量との比率を調整できる。
【００４６】
また、図４及び図６に示すように、球タンク160には、球タンク160内の球の量が一定以下であることを検出するための第１球量センサー165と、球タンク160内の球の量が一定以上であることを検出するための第２球量センサー166とが設けられている。また、第１球量センサー165は、球タンク160の下部に設けられており、また、第２球量センサー166は、球タンク160の上部に設けられている。
（送球機構100）
図２に示すように、送球機構100は、前枠30の下部後方に設けられ、かつ、球タンク160に連設され、かつ、球タンク160に貯留されている球を送り出すためのものである。
【００４７】
図３及び図５に示すように、送球機構100は、ベース110と、ベース110の下面に固定されてベース110を支持するためのフレーム140と、ベース110の上面上を回転する回転ディスク120と、回転ディスク120を回転させるためのモータ150と、回転ディスク120を囲むようにしてベース110の上面から上方へ向けて突出する円筒状のバケット170とを備えている。
また、図３に示すように、バケット170の上端には、球タンク160が連設されている。このようにして、球タンク160と送球機構100とが連設されている。また、球タンク160の底面中央に設けられている球落とし孔161が、球タンク160とバケット170とを連通させている。そして、球タンク160に貯留されている球は、球落とし孔161及びバケット170を介して、回転ディスク120に供給されるようになっている。
【００４８】
また、図２に示すように、フレーム140は、裏枠20の下部の上面に固定されている。このようにして、前面部30としての前枠30の下部後方に、球タンク160及び送球機構100が設けられている。
以下、送球機構100について更に詳しく説明する。
（ベース110）
図５及び図１０に示すように、ベース110は、ほぼ四角形状に形成されている。
また、ベース110は、水平に配置されている。
また、ベース110の上面中央には、回転ディスク120がすっぽりはまり込む大きさの円形凹部111と、円形凹部111の縁から円形凹部111の接線方向へ延びてベース110の一端へ垂直に至る、円形凹部111と同じ深さの排出路112とが設けられている。
【００４９】
また、排出路112の先端は、ベース110の一端に開口しており、球が排出される球出口113とされている。また、ベース110の四隅には、ベース110を上下に貫通するビス孔が各々設けられている。また、円形凹部111の中央には、ベース110を上下に貫通する軸孔114が設けられている。また、本実施の形態では、モータ150の駆動軸151の回転は、シャフト155を介して、回転ディスク120に伝えられるようになっている。また、軸孔114は、シャフト155を通すためのものである。また、円形凹部111の底面には、円形凹部111の円周方向に沿って、断面半円形のガイド溝115が設けられている。
また、ガイド溝115は、回転ディスク120の貫通孔124の回転軌跡に沿ったＣ字形に形成されている。つまり、ベース110の上面には、回転ディスク120の貫通孔124の回転軌跡に沿ってＣ字形に形成されているガイド溝115が設けられている。また、本実施の形態では、回転ディスク120は、反時計回り（左回り）に回転するようになっており、また、ガイド溝115は、図１０に示すように、時計の１時の位置から、反時計回りに、１２時、１１時、１０時、９時、８時、７時、６時、５時、４時の位置を通って、３時の位置まで至るように形成されている。
【００５０】
ここで、ガイド溝115における、回転ディスク120の回転方向の後方の端部（１時の位置）を、ガイド溝後端117とし、また、ガイド溝115における、回転ディスク120の回転方向の前方の端部（３時の位置）を、ガイド溝前端116とする。ガイド溝前端116とガイド溝後端117との間には、土手部119が設けられている。
また、排出路112の底面には、排出路112の長手方向に沿って直線状に形成された、断面半円形の導出溝118が設けられている。また、導出溝118は、ガイド溝前端116から、回転ディスク120の貫通孔124の回転軌跡の接線方向へ向けて延びている。つまり、ベース110の上面には、ガイド溝115における、回転ディスク120の回転方向の前方の端部から、回転ディスク120の貫通孔124の回転軌跡の接線方向へ向けて延びる導出溝118が設けられている。また、ガイド溝115と導出溝118とは、滑らかに接続されている。
【００５１】
また、ガイド溝115及び導出溝118の深さは、球の半径よりもやや浅い。つまり、ガイド溝115及び導出溝118の深さは、球の半径よりもやや小さい。
また、ガイド溝115及び導出溝118の幅は、球の直径よりもやや狭い。つまり、ガイド溝115及び導出溝118の幅は、球の直径よりもやや小さい。
これにより、ガイド溝115及び導出溝118には、球の中心よりも下側の部分がはまり込むようになっている。
（フレーム140）
フレーム140は、ベース110を支持するためのものである。
【００５２】
図３及び図５に示すように、フレーム140は、四角板状に形成されており、ベース110を水平に支持するように形成されている。また、フレーム140の中央には、フレーム140を上下に貫通する支持孔141が設けられている。この支持孔141は、シャフト155の先端付近が挿入されるものであって、シャフト155を支持するためのものである。また、支持孔141の周囲の所定位置には、フレーム140を上下に貫通する４つのビス孔が設けられている。これらのビス孔は、フレーム140とベース110とバケット170とを固定するためのものである。
本実施の形態では、フレーム140の上面に、ベース110が載せられ、また、ベース110の上面には、回転ディスク120が載せられるとともに、回転ディスク120を囲むようにして、バケット170が載せられる。また、フレーム140、ベース110及びバケット170を重ね合わせると、フレーム140、ベース110及びバケット170にそれぞれ設けられたビス孔が一直線上に並ぶ。そして、この一直線上に並んだビス孔を縦に貫くようにして、ビスが留められる。また、フレーム140の四隅にも、フレーム140を上下に貫通するビス孔が各々設けられている。このビス孔は、払出装置90を設置場所に固定するためのものである。
【００５３】
（回転ディスク120）
図１１ないし図１３に示すように、回転ディスク120は、ほぼ円盤状に形成されている。
また、本実施の形態では、ベース110が水平に配置されることにより、回転ディスク120も水平に配置されている。
また、回転ディスク120の中心には、シャフト155が固定される軸受部121が設けられている。また、軸受部121は、回転ディスク120を上下に貫通する軸受孔122と、軸受孔122を横方向に貫くスリット123とから構成されている。また、軸受孔122の内径は、シャフト155の直径とほぼ等しい。また、シャフト155の先端付近の両側には、シャフト155と直交するピン156が突出している。そして、シャフト155を軸受孔122に通し、ピン156をスリット123に嵌めると、シャフト155のトルクが回転ディスク120に伝えられるようになる。
【００５４】
また、回転ディスク120には、その上面から下面まで貫通する６個の貫通孔124が、その中心から等距離の位置に、等間隔で設けられている。つまり、６個の貫通孔124は、回転ディスク120の円周方向に沿って、等間隔に設けられている。また、各貫通孔124の内径は、それぞれ、球の直径よりもわずかに大きい。これにより、各貫通孔124は、それぞれ、球を通過させることが可能とされている。
また、図１４及び図１５に示すように、回転ディスク120の上下方向の厚さは、球の直径の１．５倍弱程度とされ、また、各貫通孔124の上下方向の長さも、球の直径の１．５倍弱程度とされている。これにより、各貫通孔124は、それぞれ、上下方向に２個の球を収納可能とされている。また、各貫通孔124の一番上に収納されている球の中心よりも上側の部分は、貫通孔124の上側の開口部から上方へ突出するようになっている。
【００５５】
また、回転ディスク120の下面からガイド溝115の底までの距離は、球の直径よりもわずかに大きい。
また、回転ディスク120の下面における、各貫通孔124から見て回転ディスク120の回転方向の後方に相当する位置には、それぞれ、ガイド溝115の底方向へ向けて突出する球押圧部128が設けられている。また、球押圧部128は、ガイド溝115にはまり込んだ球を、回転ディスク120の回転に伴って後方から押して、ガイド溝115に沿って移動させるためのものである。また、球押圧部128は、貫通孔124と同数個、すなわち６個設けられている。また、各球押圧部128は、対応する各貫通孔124から見て、回転ディスク120の回転方向の後方に設けられている。
【００５６】
また、図１１及び図１２に示すように、本実施の形態では、第１から第６までの６個の貫通孔124が設けられている。そして、第１の貫通孔124(124-1)に対応して第１の球押圧部128(128-1)が設けられ、第２の貫通孔124(124-2)に対応して第２の球押圧部128(128-2)が設けられ、第３の貫通孔124(124-3)に対応して第３の球押圧部128(128-3)が設けられ、第４の貫通孔124(124-4)に対応して第４の球押圧部128(128-4)が設けられ、第５の貫通孔124(124-5)に対応して第５の球押圧部128(128-5)が設けられ、第６の貫通孔124(124-6)に対応して第６の球押圧部128(128-6)が設けられている。つまり、貫通孔124と球押圧部128とは一対一対応になっている。
【００５７】
また、図１１及び図１２に示すように、各球押圧部128は、回転ディスク120の中心から離れるに従って回転ディスク120の回転方向の後方へ曲がるように、滑らかに湾曲している。また、各球押圧部128の下端からガイド溝115の底までの距離は、それぞれ、球の直径よりも小さい。つまり、各球押圧部128の下端は、ガイド溝115にはまり込んだ球の中心よりも下方（ガイド溝115の底側）に位置している。また、各球押圧部128の上下方向の厚さは、球の半径よりも大きい。
ここで、各球押圧部128における、回転ディスク120の回転方向の前方の面を、球押圧面129とする。また、各貫通孔124における、回転ディスク120の回転方向の後方の縁部を、後縁部125とする。図１１、図１２及び図１５に示すように、本実施の形態では、各球押圧部128の球押圧面129は、それぞれ、対応する各貫通孔124の後縁部125から、回転ディスク120の回転方向の後方に、所定距離ずれた位置に形成されている。
【００５８】
具体的には、第１の球押圧部128(128-1)の球押圧面129は、第１の貫通孔124(124-1)の後縁部125から、回転ディスク120の回転方向の後方に、所定距離ずれた位置に形成されている。第２から第６までの各球押圧部128及び各貫通孔124についても同様である。そして、図１１、図１２及び図１５に示すように、各球押圧部128の球押圧面129を、それぞれ、対応する各貫通孔124の後縁部125から回転ディスク120の回転方向の後方にずらすことにより、回転ディスク120の下面の下方、かつ、各球押圧部128の球押圧面129の前方に、球保留部126を形成している。そして、貫通孔124を通過して、ガイド溝115にはまり込んだ球が、球保留部126に保留されるようにしている。
【００５９】
また、隣接する球押圧部128同士の間には、それぞれ、球が通り抜けるための通り抜け口130が設けられている。
また、図１３に示すように、回転ディスク120の上面には、その中央部分から上方へ向けて突出する円柱状の中央突起部131が設けられている。
また、図１４に示すように、中央突起部131の外周面とバケット170の内周面との間の距離は、球の直径よりもわずかに大きい。
また、図１３に示すように、回転ディスク120の上面における、各貫通孔124から見て回転ディスク120の回転方向の前方に相当する位置には、それぞれ、各貫通孔124方向へ向けて傾斜する流れ込み傾斜部127が設けられている。流れ込み傾斜部127を設けているので、回転ディスク120が回転した際には、回転ディスク120の上面上にある球が各貫通孔124内に流れ込みやすくなっている。
【００６０】
（バケット170）
図３及び図５に示すように、バケット170は、円筒状に形成されている。また、図１４に示すように、バケット170は、回転ディスク120を囲むようにして、ベース110の上面から上方へ向けて突出している。つまり、回転ディスク120は、バケット170ですっぽり覆われるようになっている。また、図５に示すように、バケット170の下端には、外方へ向けて広がる四角板状のフランジ部171が設けられている。また、フランジ部171の四隅には、フランジ部171を上下に貫通するビス孔が各々設けられている。これらのビス孔は、上述したように、フレーム140とベース110とバケット170とを固定するためのものである。また、ベース110の上面にバケット170が固定されると、ベース110の排出路112の上面がバケット170のフランジ部171で塞がれる。
【００６１】
（モータ150）
モータ150は、回転ディスク120を回転させるためのものである。図３及び図５に示すように、本実施の形態では、モータ150は、回転ディスク120の上方に配置されている。つまり、モータ150は、回転ディスク120から見て球タンク160側に設けられている。具体的には、図３及び図５に示すように、球タンク160の上部には、球タンク160の上側の開口を跨ぐようにして、四角板状のステー145が設けられている。また、本実施の形態では、ステー145は、回転ディスク120の上方に位置するようにしてある。また、球タンク160とステー145とは、ビスで固定されている。また、ステー145の中央には、ステー145を上下に貫通する通し孔146が設けられている。この通し孔146は、モータ150の駆動軸151を通すためのものである。また、通し孔146の周囲の所定位置には、ステー145を上下に貫通する４つのビス孔が設けられている。これらのビス孔は、モータ150とステー145とを固定するためのものである。そして、モータ150は、駆動軸151を、下方に向けて（回転ディスク120方向に向けて）、かつ、通し孔146に通して、ステー145の上面に固定されている。また、本実施の形態では、モータ150の駆動軸151の中心と回転ディスク120の中心とは、一致するようにしてある。また、モータ150の駆動軸151には、シャフト155が固定されている。また、シャフト155と回転ディスク120との固定は、上述した通りである。このようにして、本実施の形態では、モータ150は、回転ディスク120の上方に配置されており、シャフト155を介して、モータ150の駆動軸151の回転を回転ディスク120に伝達して、回転ディスク120を回転させるようにしている。
【００６２】
（上方送球通路180）
図２、図３及び図５に示すように、上方送球通路180は、送球機構100から上方へ向けて延びて払出口32まで至るように形成され、かつ、送球機構100から送り出された玉を払出口32まで誘導するためのものである。
本実施の形態では、ベース110の球出口113に、上方送球通路180が接続されている。また、上方送球通路180は、途中が屈曲したパイプを用いて構成されている。また、上方送球通路180の内径は、球の直径よりもわずかに大きく形成されている。
（払出検出機構190・払出検出手段198）
図２、図３及び図５に示すように、上方送球通路180の上端には、払出検出機構190が設けられている。また、図１６に示すように、払出検出機構190は、四角箱型のケース191を備えている。また、ケース191の内部には、逆Ｌ字形に屈曲した球通路192が形成されている。また、球通路192は、鉛直方向の鉛直部193と、鉛直部193の上端から水平よりやや斜め下方向へ向かって傾斜する傾斜部194とから構成されている。また、図１６に示すように、ケース191の内部であって、球通路192の傾斜部194とは反対側には、下端をケース191に軸支されている縦長棒状のアーム195が備えられている。また、図１６に示すように、アーム195の上下の中間よりもやや上寄りの位置には、球通路192の鉛直部193の方向を向くようにして、ローラー196が軸支されている。また、図１６に示すように、ローラー196は、球通路192の鉛直部193の上端付近に位置するようになっている。また、アーム195の上端付近には、アーム195の上端を球通路192の傾斜部194方向へ付勢するスプリング197が取り付けられている。
【００６３】
また、図１６に示すように、球通路192の傾斜部194の途中には、払出装置90が球を払い出した旨を検出するための払出検出手段198が設けられている。
また、払出検出手段198は、入賞検出手段60と同様に、誘導型近接センサー等を用いて構成されている。
また、払出検出手段198は、払出球数カウンタ81の数値や、払出装置90の駆動状況にかかわらず、常時、払出装置90が球を払い出した旨を検出可能とされている。
そして、上方送球通路180の上端から排出された球が球通路192の傾斜部194を通る途中で払出検出手段198を通過すると、払出検出手段198が反応して、払出検出手段198から払出制御装置80へ払出検出信号が送信される。
【００６４】
このようにして、払出装置90が球を払い出した旨が、払出検出手段198によって検出される。また、払出検出手段198により払出装置90が球を払い出した旨が検出されると、払出検出手段198から払出制御装置80へ払出検出信号が送信される。
（払出制御装置80）
払出制御装置80は、払出装置90の動作を制御するためのものである。
図２に示すように、払出制御装置80は、遊技盤40の裏面の所定位置に固定されている。
また、図１７に示すように、払出制御装置80は、払い出すべき球の数をカウントするための払出球数カウンタ81と、入賞口44に球が入った旨を入賞検出手段60が検出する毎に払出球数カウンタ81に所定数を加算するための払出球数加算手段82と、払出装置90が球を払い出した旨を払出検出手段198が検出する毎に払出球数カウンタ81から１を減算するための払出球数減算手段83と、払出球数カウンタ81の数値が１以上のときには、払出装置90の送球機構100を駆動させて球を払い出し、払出球数カウンタ81の数値が０のときには、払出装置90の送球機構100の駆動を停止させて球の払い出しを停止させる駆動制御手段84とを備えている。
【００６５】
また、払出制御装置80は、ＣＰＵ、ＲＡＭ、ＲＯＭ、及びＩ／Ｏなどを備えたマイクロコンピュータを用いて構成されており、ＣＰＵがＲＯＭに記憶された所定のプログラムを実行することにより、払出球数カウンタ81、払出球数加算手段82、払出球数減算手段83、及び駆動制御手段84として機能するようになっている。
また、払出球数加算手段82は、入賞口44に球が入った旨を入賞検出手段60が検出する毎に、払出球数カウンタ81に、所定数「１５」を加算する。
入賞検出手段60により入賞口44に球が入った旨が検出されると、入賞検出手段60から払出制御装置80へ入賞検出信号が送信される。そして、払出球数加算手段82は、入賞検出信号を受信すると、入賞口44に球が入った旨を入賞検出手段60が検出したとして、払出球数カウンタ81に所定数「１５」を加算する。
【００６６】
また、払出球数加算手段82は、払出球数カウンタ81の数値や、払出装置90の駆動状況にかかわらず、常時、入賞検出信号を受け付け、そして、入賞検出信号を受信すると、入賞口44に球が入った旨を入賞検出手段60が検出したとして、払出球数カウンタ81に所定数「１５」を加算する。
また、例えば、払出球数カウンタ81の数値が「０」のときに、入賞検出手段60により入賞口44に球が入った旨が検出されて、入賞検出手段60から払出制御装置80へ入賞検出信号が送信されると、払出球数加算手段82は、払出球数カウンタ81に、所定数「１５」を加算する。そうすると、その後には、払出球数カウンタ81の数値は「１５」になる。
【００６７】
また、例えば、払出球数カウンタ81の数値が「８」のときに、入賞検出手段60により入賞口44に球が入った旨が検出されて、入賞検出手段60から払出制御装置80へ入賞検出信号が送信されると、払出球数加算手段82は、払出球数カウンタ81に、所定数「１５」を加算する。そうすると、その後には、払出球数カウンタ81の数値は「２３」になる。
また、払出球数減算手段83は、払出装置90が球を払い出した旨を払出検出手段198が検出する毎に払出球数カウンタ81から１を減算する。
払出検出手段198により払出装置90が球を払い出した旨が検出されると、払出検出手段198から払出制御装置80へ払出検出信号が送信される。そして、払出球数減算手段83は、払出検出信号を受信すると、払出装置90が球を払い出した旨を払出検出手段198が検出したとして、払出球数カウンタ81から１を減算する。
【００６８】
また、払出球数減算手段83は、払出球数カウンタ81の数値や、払出装置90の駆動状況にかかわらず、常時、払出検出信号を受け付け、そして、払出検出信号を受信すると、払出装置90が球を払い出した旨を払出検出手段198が検出したとして、払出球数カウンタ81から１を減算する。
また、駆動制御手段84は、払出球数カウンタ81の数値が１以上のときには、払出装置90の送球機構100を駆動させて球を払い出し、払出球数カウンタ81の数値が０のときには、払出装置90の送球機構100の駆動を停止させて球の払い出しを停止させる。
つまり、払出装置90は、球を１個ずつ払い出すことが可能とされ、また、駆動制御手段84は、払出装置90による１個ずつの球の払い出しを制御可能とされている。そして、駆動制御手段84は、払出球数カウンタ81の数値が１以上のときには、払出装置90の送球機構100を駆動させて球を払い出し、払出球数カウンタ81の数値が０になるまで、払出装置90の送球機構100を駆動させ続け、払出球数カウンタ81の数値が０になると、払出装置90の送球機構100の駆動を停止させて、球の払い出しを停止させる。
【００６９】
（払出装置90の動作）
球タンク160の内部に貯留されている球は、バケット170を介して、回転ディスク120に供給される。また、回転ディスク120に供給された球は、貫通孔124を通過して、ガイド溝115にはまり込む。また、球タンク160が球で満たされている場合には、球タンク160からバケット170を介して回転ディスク120へ次々と球が供給される。そして、各貫通孔124にも次々と球が供給される。そして、ガイド溝115にすでに球がはまり込んでいるときに、貫通孔124に球が供給されると、ガイド溝115にはまり込んだ球の上に球が積み重なる。これにより、図１４に示すように、各貫通孔124内には２個の球が収納される。そして、ガイド溝115にはまり込んだ球を含めると、ガイド溝115の底から回転ディスク120の上面までの間には、図１４に示すように、３個の球が積み重なる。また、図１４に示すように、ガイド溝115にはまり込んだ球は、球保留部126に保留され、貫通孔124の直下の位置から見て、回転ディスク120の回転方向の後方にずれる。このため、ガイド溝115の底から回転ディスク120の上面までの間に３個の球が積み重なるといっても、３個の球が一直線上に並ぶわけではない。
【００７０】
また、モータ150が駆動し、回転ディスク120が回転すると、各貫通孔124は、ガイド溝115の上方をガイド溝115に沿って移動し、ガイド溝前端116の上方まで達すると、その後に、ガイド溝115の上方から一旦外れて、土手部119の上方を通過し、その後に、ガイド溝後端117の上方に達し、その後には再び、ガイド溝115の上方をガイド溝115に沿って移動する。
また、ガイド溝115にはまり込んだ球は、球保留部126に保留されるが、回転ディスク120が回転すると、球押圧部128に押されて、ガイド溝115に沿って移動し、ガイド溝前端116まで達すると、球自身の回転運動の勢いによって、ガイド溝115から離脱し、導出溝118に沿って移動する。また、ガイド溝115にはまり込んだ球がガイド溝115から離脱して導出溝118へ送り出される際には、隣接する球押圧部128同士の間に設けられた通り抜け口130を通り抜ける。また、ガイド溝前端116とガイド溝後端117との間には土手部119があるので、ガイド溝115にはまり込んだ球は、ガイド溝前端116からガイド溝後端117へ移動することはない。
【００７１】
また、ガイド溝115にはまり込んだ球がガイド溝115から離脱して導出溝118へ送り出されると、貫通孔124内に収納されていた球が支えを失って下方へ落ち、ガイド溝115にはまり込む。そして、このようにしてガイド溝115にはまり込んだ球も、回転ディスク120が回転すると、上述したように、ガイド溝115から離脱して導出溝118へ送り出される。回転ディスク120が回転し続けると、このような動作が繰り返されて、ガイド溝115から導出溝118へ次々と球が送り出される。そうすると、導出溝118内には、複数の球が数珠つなぎになって並ぶ。そして、先に導出溝118内に送り出された球は、あとから次々と導出溝118内に送り出される球に押されて移動する。そして、ガイド溝115から導出溝118へ球が１個送り出される毎に、球出口113から球が１個押し出されるようになる。また、球出口113から押し出された球は、上方送球通路180の下端から上方送球通路180内に押し込まれる。また、回転ディスク120が回転し続けると、上方送球通路180内にも次々と球が押し込まれることから、上方送球通路180内にも複数の球が数珠つなぎになって並ぶ。そして、上方送球通路180の下端から球が１個押し込まれる毎に、上方送球通路180の上端から球が１個押し出されるようになる。また、上方送球通路180の上端には、払出検出機構190が設けられている。上方送球通路180の上端から押し出された球は、払出検出機構190内の球通路192の鉛直部193へ送り出される。また、球通路192の鉛直部193内へ送り出された球は、その次に上方送球通路180の上端から押し出された球に押し上げられると、ローラー196を押し、スプリング197に逆らってアーム195を傾け、そして、球通路192の鉛直部193の上端を越えると、今度はスプリング197が元に戻ることによりアーム195が元の位置に戻り、ローラー196に押され、球通路192の傾斜部194を勢いよく通過して、払出検出機構190の外へ排出される。
【００７２】
（遊技機設置島）
遊技機設置島は、パチンコ機10を並べて設置するための構造物であって、パチンコホールなどの遊技場に設置されるものである。
また、遊技機設置島は、オーバーフロー球通路164へ誘導された球を回収するための球回収機構と、球回収機構によって回収された球を浄化するための浄化部と、浄化部で浄化された球を貯留するための貯留部と、貯留部に貯留されている球をパチンコ機10に補給するための球補給機構とを備えている。
オーバーフロー口162から排出された球は、オーバーフロー球通路164を介して、遊技機設置島の球回収機構によって回収され、浄化部で研磨あるいは洗浄されて浄化され、貯留部に貯留される。
【００７３】
また、第１球量センサー165により、球タンク160内の球の量が一定以下である旨が検出されると、第１球量センサー165から、遊技機設置島の球補給機構へ、球供給開始信号が送信される。そうすると、球補給機構が球の補給を開始し、遊技機設置島の貯留部に貯留されている球が、補給球トレイ230及び補給球通路231を介して、球タンク160に補給される。また、第２球量センサー166により、球タンク160内の球の量が一定以上である旨が検出されると、第２球量センサー166から、遊技機設置島の球補給機構へ、球供給停止信号が送信される。そうすると、球補給機構が球の補給を停止する。
以上説明したように、本実施の形態では、入賞検出手段60と、払出装置90と、払出検出手段198と、払出制御装置80とを備えるとともに、払出制御装置80には、払出球数カウンタ81と、入賞検出手段60が入賞を検出する毎に払出球数カウンタ81に所定数を加算する払出球数加算手段82と、払出検出手段198が払い出しを検出する毎に払出球数カウンタ81から１を減算する払出球数減算手段83と、払出球数カウンタ81の数値が１以上のときには、払出装置90を駆動させて球を払い出し、払出球数カウンタ81の数値が０のときには、払出装置90の駆動を停止させて球の払い出しを停止させる駆動制御手段84とを備えたことから、入賞した球の処理のシステムを合理化でき、前枠30及び遊技盤40の裏面から従来の入賞球処理装置をなくすことができる。このため、前枠30及び遊技盤40の裏面を広く有効に使うことができ、これにより、大型の液晶ディスプレイ等を搭載しやすくすることができる。
【００７４】
また、本実施の形態では、前枠30の下部後方に設けた球タンク160及び送球機構100によって球の払い出しが行われることから、球の払い出しのシステムを合理化でき、前枠30及び遊技盤40の裏面から従来の裏セットをなくすことができる。このため、前枠30及び遊技盤40の裏面を広く有効に使うことができ、これにより、大型の液晶ディスプレイ等を搭載しやすくすることができる。
また、本実施の形態では、上皿33に貯留されている球が、上皿33の隅に設けた投入口35からパチンコ機10に投入され、発射装置37及び遊技領域42を経由し、入賞口44又はアウト口48を通過し、遊技盤40の裏側へ誘導され、入賞球通路51又はアウト球通路52によって下方へ誘導されて、球タンク160に一旦貯留され、入賞等があると、送球機構100によって球タンク160から送り出され、上方送球通路180を通って、払出口32から払い出され、上皿33に貯留される。このため、パチンコ機10内を球が循環するようになり、遊技に使用された球が遊技機設置島に戻されることなく再度遊技に使用されるので、遊技機設置島の球回収機構等の負担を軽減できる。
【００７５】
また、本実施の形態では、浄化部で浄化する球の量を、球の汚れの程度に合わせて調整できる。例えば、球があまり汚れていなければ、パチンコ機10内を循環させ続ける球の量と浄化部で浄化する球の量との比率を２０対８０にして、遊技機設置島の球回収機構等の負担軽減を優先させ、一方、球の汚れがひどければ、パチンコ機10内を循環させ続ける球の量と浄化部で浄化する球の量との比率を８０対２０にして、球の浄化を優先させることができる。このようにして、パチンコ機10内で球を循環させることにより生じる「遊技機設置島の球回収機構等の負担軽減」というメリットの確保と「球が次第に汚れてしまう」というデメリットの解消との調和が図れる。
【００７６】
また、本実施の形態では、モータ150を、回転ディスク120の上方に配置している。このため、ベース110の下方からモータ150をなくすことができ、これにより、モータ150の高さの分だけ、ベース110、回転ディスク120及び球タンク160を低い位置に設けることができる。そうすると、球タンク160の深さを比較的深くして、球タンク160の容量を十分に確保しつつも、球タンク160の上側の縁の位置を、入賞球通路51やアウト球通路52よりも低くできる。
また、本実施の形態では、ベース110及び回転ディスク120を、水平に配置している。このため、球タンク160の上側の縁の位置を高くしたり、球タンク160の外径を大きくしなくても、ベース110及び回転ディスク120を傾斜して配置する場合と比較して、球タンク160の容量を大きく確保できる。
【００７７】
またここで、パチンコ機10では、比較的高速での球の払い出しを要求されるが、本実施の形態では、送球機構100が比較的高速での球の払い出しに耐え得るようにしている。
具体的には、本実施の形態では、各球押圧部128の下端からガイド溝115の底までの距離を、それぞれ、球の半径よりも小さくしている。このため、各球押圧部128における、回転ディスク120の回転方向の前方の面（球押圧面129）が、ガイド溝115にはまり込んだ球に当たるようになり、各球押圧部128の角部は、ガイド溝115にはまり込んだ球には当たらなくなる。これにより、各球押圧部128の角部が磨耗しなくなり、また、各球押圧部128とガイド溝115にはまり込んだ球との接触面積が大きくなって、各球押圧部128への負担が軽減される。したがって、各球押圧部128の耐久性が向上し、ひいては毎秒５個ないし１０個あるいはそれ以上の比較的高速での球の送り出しに耐え得る。
【００７８】
また、本実施の形態では、各球押圧部128の球押圧面129を、それぞれ、対応する各貫通孔124の後縁部125から、回転ディスク120の回転方向の後方に、所定距離ずらした位置に形成している。このため、各貫通孔124を通過してガイド溝115にはまり込んだ球は、各貫通孔124の直下から回転ディスク120の回転方向の後方にずれて、球保留部126に保留される。このため、ガイド溝115にはまり込んだ球は、回転ディスク120の回転等によって上下に振動しても、貫通孔124内に逆戻りしない。これにより、回転ディスク120を比較的高速で回転させても、球の空送りが発生せず、球を確実に送り出すことができる。更に、球がガイド溝115から上方には跳ね上がらないことから、貫通孔124と土手部119との間に球を噛み込んでしまうこともなく、これにより、回転ディスク120がロックしてしまうこともない。
【００７９】
また、本実施の形態では、各貫通孔124を、それぞれ、上下方向に２個の球を収納可能に形成している。このため、ガイド溝115への供給を待つ球が各貫通孔124内に２個ストックされることから、各貫通孔124からガイド溝115への球の供給が絶えることなく円滑に行われる。これにより、回転ディスク120を比較的高速で回転させても、球の空送りが発生せず、球を確実に送り出すことができる。更に、貫通孔124が土手部119の上方にさしかかる瞬間に球タンク160から貫通孔124内に球が飛び込むという事態も回避できるので、貫通孔124と土手部119との間に球を噛み込んでしまうこともなく、これにより、回転ディスク120がロックしてしまうこともない。
【００８０】
また、本実施の形態では、各貫通孔124内の一番上に収納される球の中心よりも上側の部分が、貫通孔124の上側の開口部から上方へ突出している。このため、回転ディスク120の上面及び貫通孔124の上側の開口部の縁部の磨耗が抑えられて、回転ディスク120の耐久性が向上する。また、各貫通孔124内の一番上に収納される球の一部が貫通孔124から外部にはみ出すものの、貫通孔124からはみ出す部分が球の半分未満であるので、球タンク160及びバケット170内の球を攪拌したり、回転ディスク120が回転により振動しても、球は貫通孔124内に比較的安定して留まる。
また、本実施の形態では、回転ディスク120の上面に、その中央部分から上方へ向けて突出する円柱状の中央突起部131を設けるとともに、中央突起部131の外周面とバケット170の内周面との間の距離を、球の直径よりもわずかに大きくしている。このため、中央突起部131とバケット170との間に球が整列する。これにより、バケット170内の球が回転ディスク120の各貫通孔124内に入りやすくなり、回転ディスク120を比較的高速で回転させても、回転ディスク120の各貫通孔124に球が円滑に供給される。
【００８１】
（他の実施の形態）
例えば、複数の入賞口44を設ける場合において、各入賞口44毎に球の払い出し個数を異ならせるときには、各入賞口44にそれぞれ対応して入賞検出手段60を設けることができる。つまり、各入賞口44にそれぞれ対応して入賞検出手段60を設けて、各入賞口44に球が入った旨を、対応する入賞検出手段60によって、個別に検出することができる。また、このような場合、払出球数加算手段82は、各入賞検出手段60毎に異なる所定数を払出球数カウンタ81に加算するように形成することができる。
具体的には、例えば、第１の入賞口44と、第２の入賞口44と、第３の入賞口44とを設け、また、第１の入賞口44については、球の払い出し個数を５個と定め、第２の入賞口44については、球の払い出し個数を１０個と定め、第３の入賞口44については、球の払い出し個数を１５個と定め、また、第１の入賞口44に対応して第１の入賞検出手段60を設け、第２の入賞口44に対応して第２の入賞検出手段60を設け、第３の入賞口44に対応して第３の入賞検出手段60を設けることができる。そして、第１の入賞口44に球が入り、その旨が第１の入賞検出手段60により検出されると、第１の入賞検出手段60から払出制御装置80へ第１の入賞検出信号が送信され、また、第２の入賞口44に球が入り、その旨が第２の入賞検出手段60により検出されると、第２の入賞検出手段60から払出制御装置80へ第２の入賞検出信号が送信され、また、第３の入賞口44に球が入り、その旨が第３の入賞検出手段60により検出されると、第３の入賞検出手段60から払出制御装置80へ第３の入賞検出信号が送信されるようにすることができる。このような場合、払出球数加算手段82は、第１の入賞検出信号を受信すると、第１の入賞検出手段60が第１の入賞口44に球が入った旨を検出したとして、払出球数カウンタ81に「５」を加算し、また、第２の入賞検出信号を受信すると、第２の入賞検出手段60が第２の入賞口44に球が入った旨を検出したとして、払出球数カウンタ81に「１０」を加算し、また、第３の入賞検出信号を受信すると、第３の入賞検出手段60が第３の入賞口44に球が入った旨を検出したとして、払出球数カウンタ81に「１５」を加算するように形成することができる。
【００８２】
また、例えば、パチンコ機10に、情報を表示可能な情報表示装置を備えるとともに、払出球数カウンタ81の数値を情報表示装置に表示させるための数値表示手段を備えることができる。また、情報表示装置は、例えば、前枠30や遊技盤40の裏面等に備えることができる。また、情報表示装置は、例えば、液晶ディスプレイや７セグメントＬＥＤ等を用いて構成することができる。また、情報表示装置は、例えば、ＬＥＤランプを多数並べて構成することもできる。また、数値表示手段は、払出球数カウンタ81の数値を、情報表示装置に、数値で表示したり、あるいは点灯させるＬＥＤランプの個数で表示するように形成することができる。また、例えば、入賞検出手段60により入賞が検出される毎に、ＬＥＤランプを１個点灯させ、また、払出検出手段198により１５個の球の払い出しが検出される毎に、点灯しているＬＥＤランプを１個消灯させるように、情報表示装置を形成することもできる。そうすると、従来の入賞球処理装置をなくしても、払い出しが済んでいない球の個数を確認できる。
【００８３】
また、例えば、パチンコ機10に、パチンコ機10の電源がＯＦＦになったときにも払出球数カウンタ81の数値を保持可能なバックアップ手段を備えることができる。また、バックアップ手段は、パチンコ機10の電源がＯＦＦになったときにも記憶を保持可能なバックアップメモリと、払出球数カウンタ81の数値が加算又は減算される毎に払出球数カウンタ81の数値をバックアップメモリに書き込むバックアップ書き込み手段と、バックアップメモリに記憶されている数値を情報表示装置に表示させるためのバックアップ数値表示手段と、パチンコ機10の電源がＯＮにされたときにバックアップメモリに記憶されている数値を払出球数カウンタ81に書き込むためのバックアップ復帰手段とを備えることができる。そうすると、例えば、球の払い出しの途中で、停電や電源トラブルなどでパチンコ機10の電源が一旦ＯＦＦにされても、その後にパチンコ機10の電源がＯＮにされたときには、払い出しが済んでいない球を払い出すことができる。
【図面の簡単な説明】
【００８４】
【図１】本発明の実施の形態に係るパチンコ機の前面斜視図。
【図２】本発明の実施の形態に係るパチンコ機の前枠を開いた状態を示す斜視図。
【図３】本発明の実施の形態に係るパチンコ機における払出装置の外観斜視図。
【図４】本発明の実施の形態に係るパチンコ機における払出装置の側断面図。
【図５】本発明の実施の形態に係るパチンコ機における払出装置の分解斜視図。
【図６】本発明の実施の形態に係るパチンコ機における球タンクの分解斜視図。
【図７】本発明の実施の形態に係るパチンコ機における球タンクの平面図。
【図８】本発明の実施の形態に係るパチンコ機における球タンクの平面図。
【図９】本発明の実施の形態に係るパチンコ機における球タンクの平面図。
【図１０】本発明の実施の形態に係るパチンコ機における払出装置のベースの上面図。
【図１１】本発明の実施の形態に係るパチンコ機における払出装置の回転ディスクの上面図。
【図１２】本発明の実施の形態に係るパチンコ機における払出装置の回転ディスクの下面図。
【図１３】本発明の実施の形態に係るパチンコ機における払出装置の回転ディスクの外観斜視図。
【図１４】本発明の実施の形態に係るパチンコ機における払出装置のベース、回転ディスク及びバケットの側断面図。
【図１５】（Ａ）は、本発明の実施の形態に係るパチンコ機における払出装置の回転ディスクの要部上面図、（Ｂ）は、（Ａ）のＡ−Ａ’線断面図。
【図１６】本発明の実施の形態に係るパチンコ機における払出装置の払出検出機構の側断面図。
【図１７】本発明の実施の形態に係るパチンコ機における払出制御装置のブロック図。
【符号の説明】
【００８５】
10  パチンコ機                           20  裏枠
25  ヒンジ                               30  前枠
31  窓                                   32  払出口
33  上皿                                 34  下皿
35  投入口                               36  操作ハンドル
37  発射装置                             40  遊技盤
41  ガイドレール                         42  遊技領域
43  図柄表示装置                         44  入賞口
45  一般入賞口                           46  始動入賞口
47  大入賞口                             48  アウト口
51  入賞球通路                           52  アウト球通路
53  排出口                               60  入賞検出手段
70  制御基板                             71  メイン基板
72  サウンド基板                         73  表示制御基板
80  払出制御装置                         81  払出球数カウンタ
82  払出球数加算手段                     83  払出球数減算手段
84  駆動制御手段                         90  払出装置
100  送球機構                            110  ベース
111  円形凹部                            112  排出路
113  球出口                              114  軸孔
115  ガイド溝                            116  ガイド溝前端
117  ガイド溝後端                        118  導出溝
119  土手部                              120  回転ディスク
121  軸受部                              122  軸受孔
123  スリット                            124  貫通孔
124-1  第１の貫通孔                      124-2  第２の貫通孔
124-3  第３の貫通孔                      124-4  第４の貫通孔
124-5  第５の貫通孔                      124-6  第６の貫通孔
125  後縁部                              126  球保留部
127  流れ込み傾斜部                      128  球押圧部
128-1  第１の球押圧部                    128-2  第２の球押圧部
128-3  第３の球押圧部                    128-4  第４の球押圧部
128-5  第５の球押圧部                    128-6  第６の球押圧部
129  球押圧面                            130  通り抜け口
131  中央突起部                          140  フレーム
141  支持孔                              145  ステー
146  通し孔                              150  モータ
151  駆動軸                              155  シャフト
156  ピン                                160  球タンク
161  球落とし孔                          162  オーバーフロー口
163  オーバーフロー球受部                164  オーバーフロー球通路
165  第１球量センサー                    166  第２球量センサー
170  バケット                            171  フランジ部
180  上方送球通路                        190  払出検出機構
191  ケース                              192  球通路
193  鉛直部                              194  傾斜部
195  アーム                              196  ローラー
197  スプリング                          198  払出検出手段
200  タンクカバー                        201  上方凸部
202  受入口                              203  オーバーフロー塞ぎ部
204  長ビス孔                            205  補給口
210  オーバーフロー調整器                211  傾斜通路部
212  左ガイド部                          213  右ガイド部
214  取付部                              215  円形ビス孔
220  取付ビス                            221  取付ナット
230  補給球トレイ                        231  補給球通路
【図１】
2006014853.tif 000003
【図２】
2006014853.tif 000004
【図３】
2006014853.tif 000005
【図４】
2006014853.tif 000006
【図５】
2006014853.tif 000007
【図６】
2006014853.tif 000008
【図７】
2006014853.tif 000009
【図８】
2006014853.tif 000010
【図９】
2006014853.tif 000011
【図１０】
2006014853.tif 000012
【図１１】
2006014853.tif 000013
【図１２】
2006014853.tif 000014
【図１３】
2006014853.tif 000015
【図１４】
2006014853.tif 000016
【図１５】
2006014853.tif 000017
【図１６】
2006014853.tif 000018
【図１７】
2006014853.tif 000019